(57)【要約】【課題】腕施療部が被施療者の体型や姿勢に応じて適切な位置に追随できる椅子型マッサージ機を提供する。【解決手段】椅子型マッサージ機は、ベース部材と、前記ベース部材に対して第１方向及びその逆方向にスライド移動可能なスライド部材と、前記スライド部材の前記第１方向側端部に回転可能に取り付けられる腕施療部と、を備える。【選択図】図４
2020081646.tif 000002
【特許請求の範囲】
【請求項１】
ベース部材と、
前記ベース部材に対して第１方向及びその逆方向にスライド移動可能なスライド部材と、
前記スライド部材の前記第１方向側端部に回転可能に取り付けられる腕施療部と、
を備える、椅子型マッサージ機。
【請求項２】
前記第１方向の逆方向へ前記スライド部材を付勢する第１付勢手段を備える、請求項１に記載の椅子型マッサージ機。
【請求項３】
前記腕施療部の回転方向へ前記腕施療部を付勢する第２付勢手段を備える、請求項１又は請求項２に記載の椅子型マッサージ機。
【請求項４】
前記腕施療部は上面を備える、請求項１〜３のいずれか一項に記載の椅子型マッサージ機。
【発明の詳細な説明】
【技術分野】
【０００１】
本発明は、腕施療部を備えた椅子型マッサージ機に関する。
【背景技術】
【０００２】
近年、腕施療部を備えた椅子型マッサージ機が種々開発されている。
【先行技術文献】
【特許文献】
【０００３】
【特許文献１】特開２００３−３１０６８３号公報
【発明の概要】
【発明が解決しようとする課題】
【０００４】
腕施療部の位置が固定されていると、被施療者毎の前腕部の長さの違いや背凭れ部のリクライニング角度の変更によって被施療者の前腕部の施療部位が変わってしまい、最悪の場合手先に近い部分や肘に近い部分が施療できなくなる。
【０００５】
特許文献１では、上記の問題を解決するために、腕施療部が座部の側方に設けられたガイドレールに沿ってスライドするマッサージ機が提案されている。
【０００６】
しかしながら、特許文献１で提案されているマッサージ機では、腕施療部の移動範囲が限定的であり、腕施療部が被施療者の体型や姿勢に応じて適切な位置に追随できない。
【０００７】
本発明は、上記の状況に鑑み、腕施療部が被施療者の体型や姿勢に応じて適切な位置に追随できる椅子型マッサージ機を提供することを目的とする。
【課題を解決するための手段】
【０００８】
本明細書中に開示されている椅子型マッサージ機は、ベース部材と、前記ベース部材に対して第１方向及びその逆方向にスライド移動可能なスライド部材と、前記スライド部材の前記第１方向側端部に回転可能に取り付けられる腕施療部と、を備える構成（第１の構成）である。
【０００９】
上記第１の構成の椅子型マッサージ機において、前記第１方向の逆方向へ前記スライド部材を付勢する第１付勢手段を備える構成（第２の構成）にしてもよい。
【００１０】
上記第１又は第２の構成の椅子型マッサージ機において、前記腕施療部の回転方向へ前記腕施療部を付勢する第２付勢手段を備える構成（第３の構成）にしてもよい。
【００１１】
上記第１〜第３いずれかの構成の椅子型マッサージ機において、前記腕施療部は上面を備える構成（第４の構成）にしてもよい。
【発明の効果】
【００１２】
本明細書中に開示されている椅子型マッサージ機によれば、腕施療部が被施療者の体型や姿勢に応じて適切な位置に追随できる。
【図面の簡単な説明】
【００１３】
【図１】一実施例に係る椅子型マッサージ機の側面図
【図２】腕ユニットの斜視図
【図３】腕ユニットの底面図
【図４】一実施例に係る椅子型マッサージ機の側面図
【図５】一実施例に係る椅子型マッサージ機の側面図
【発明を実施するための形態】
【００１４】
以下、本発明の例示的な実施形態について、図面を参照しながら詳細に説明する。
＜１．実施形態＞
【００１５】
図１は一実施例に係る椅子型マッサージ機１（以下、「マッサージ機１」と称す）の側面図である。図２は、マッサージ機１に設けられる腕ユニットＵ１の斜視図である。図３は、マッサージ機１に設けられる腕ユニットＵ１の底面図である。なお、図１〜図３及び後述する図４〜図５では、マッサージ機１の骨格を構成する部品のみを図示している。
【００１６】
以下の説明において、背凭れ部３が倒れていない状態のマッサージ機１に着座した被施療者から見て前側（正面側）を「前側」といい、背凭れ部３が倒れていない状態のマッサージ機１に着座した被施療者から見て後側（背面側）を「後側」という。また、背凭れ部３が倒れていない状態のマッサージ機１に着座した被施療者から見て上側（頭側）を「上側」といい、背凭れ部３が倒れていない状態のマッサージ機１に着座した被施療者から見て下側（脚側）を「下側」という。また、背凭れ部３が倒れていない状態のマッサージ機１に着座した被施療者から見て右側を「右側」といい、背凭れ部３が倒れていない状態のマッサージ機１に着座した被施療者から見て左側を「左側」という。
【００１７】
マッサージ機１は、座部２、背凭れ部３、支持部材４、ベース部材５、スライド部材６、腕施療部７、及びコイルばね８を備える。マッサージ機１に設けられる腕ユニットＵ１は、ベース部材５、スライド部材６、腕施療部７、及びコイルばね８を備える。
【００１８】
マッサージ機１は、支持部材４、ベース部材５、スライド部材６、腕施療部７、及びコイルばね８を２つずつ備える。一方の支持部材４、ベース部材５、スライド部材６、腕施療部７、及びコイルばね８は右腕用であり、他方の支持部材４、ベース部材５、スライド部材６、腕施療部７、及びコイルばね８は左腕用である。
【００１９】
座部２は、被施療者の臀部及び太腿部を支持する。
【００２０】
背凭れ部３は、被施療者の肩、腰、及び背中を支持する。背凭れ部３は、左右方向に沿って延びるリクライニング回転軸回りに回転可能に、座部２の後端に取り付けられている。背凭れ部３には、施療子を有するマッサージユニット（不図示）が設けられる。マッサージユニットは、背凭れ部３に設けられるガイドレール（不図示）によって案内されて背凭れ部３の長手方向に昇降する。なお、ガイドレールを座部２の後部にまで延長し、マッサージユニットが座部２及び背凭れ部３の長手方向に昇降するようにしてもよい。マッサージユニットは、施療子と、施療子に揉み動作を行わせる揉み駆動機構と、施療子にたたき動作を行わせるたたき駆動機構と、を備える。
【００２１】
支持部材４は、座部２の側面上方に位置するフレームに固定される。ベース部材５は、支持部材４に固定され支持部材４によって支持される。
【００２２】
スライド部材６は、ベース部材５に対して第１方向ＤＲ１及び第１方向の逆方向ＯＤＲ１にスライド移動可能である。
【００２３】
腕施療部７は、スライド部材６の第１方向ＤＲ１側端部に回転可能に取り付けられ、左右方向に沿って延びる回転軸Ｘ１（図２参照）回りに回転可能である。
【００２４】
腕施療部７は上面７Ａ（図２の灰色着色部分参照）を備える。腕施療部７の上面７Ａは、略平面形状である。腕施療部７の上面７Ａは、腕施療部７とスライド部材６とが閉じている状態において、肘置きとして利用できる。
【００２５】
図１に示すように、腕施療部７とスライド部材６とが閉じている状態で腕施療部７の上面７Ａは第２方向ＤＲ２に略平行である。第２方向ＤＲ２は、水平方向から傾いた方向であって、腕施療部７の回転支点（回転軸Ｘ１）から腕施療部７の長手方向に沿って離れるにつれて下方に向かう方向である。
【００２６】
座部２は後方に向かうにつれて下がっている形状のものが多い。当該形状の座部２を用いる場合、腕施療部７とスライド部材６とが閉じている状態で腕施療部７の上面７Ａが第２方向ＤＲ２に略平行であれば、被施療者は楽な体勢で腕施療部７の上面７Ａに肘を置くことができる。
【００２７】
なお、本実施例とは異なり、腕施療部７とスライド部材６とが閉じている状態で腕施療部７の上面７Ａは例えば水平方向に略平行であってもよい。
【００２８】
図２に示すように、腕施療部７の後部には開口部７Ｂが設けられている。腕施療部７の開口部７Ｂから被施療者の前腕及び手を腕施療部７の内部に入れることができる。腕施療部７の内部にはエアバッグ（不図示）が設けられる。エアバッグ（不図示）の膨縮によって被施療者の前腕及び手がマッサージされる。なお、本実施例とは異なり、エアバッグ以外の施療手段を腕施療部７の内部に設けてもよい。
【００２９】
図３に示すように、ベース部材５及びスライド部材６の下方にコイルばね８が設けられる。コイルばね８の一端８Ａはスライド部材６の前端に取り付けられる。コイルばね８の他端８Ｂはベース部材５の後端に取り付けられる。したがって、スライド部材６がベース部材５に対して第１方向ＤＲ１にスライド移動すると、コイルばね８が伸び、コイルばね８が第１方向の逆方向ＯＤＲ１へスライド部材６を付勢する（引っ張る）。なお、本実施例とは異なり、コイルばね８以外の付勢手段（例えばゴム等）を用いてもよい。
【００３０】
マッサージ機１では、ベース部材５に対するスライド部材６のスライド量及びスライド部材６に対する腕施療部７の回転量（スライド部材６と腕施療部７との開き具合）によって腕施療部７の位置を調整することができる。これにより、腕施療部７が被施療者の体型や姿勢に応じて適切な位置に追随できる。
【００３１】
図４のように背凭れ部３が倒れていない場合、スライド部材６及び腕施療部７が被施療者の前腕及び手によって前方に押し出され、コイルばね８が第１方向の逆方向ＯＤＲ１へスライド部材６を付勢する（引っ張る）。前腕及び手による押し出し力とコイルばね８による付勢力とが釣り合った位置で、スライド部材６、腕施療部７、並びに被施療者の前腕及び手が静止する。
【００３２】
図４のように背凭れ部３が倒れていない状態から図５のように背凭れ部３が倒れている状態に変化するとき、被施療者の前腕及び手は徐々に後退する。そして、図４のように背凭れ部３が倒れていない状態から図５のように背凭れ部３が倒れている状態に変化するとき、コイルばね８による付勢力はスライド部材６及び腕施療部７の後退を補助する。したがって、図４のように背凭れ部３が倒れていない状態から図５のように背凭れ部３が倒れている状態に変化するとき、スライド部材６及び腕施療部７は被施療者の前腕及び手の後退に追随して円滑に後退する。
【００３３】
＜２．その他＞
上記実施形態は、全ての点で例示であって、制限的なものではないと考えられるべきであり、本発明の技術的範囲は、上記実施形態の説明ではなく、特許請求の範囲によって示されるものであり、特許請求の範囲と均等の意味及び範囲内に属する全ての変更が含まれると理解されるべきである。
【００３４】
例えば、第１方向の逆方向ＯＤＲ１へスライド部材６を付勢する付勢手段を設けなくてもよい。この場合、スライド部材６のスライド方向、スライド部材６の重心位置、腕施療部７の重心位置等を調整することにより、スライド部材６及び腕施療部７が自重によってスライド部材６のスライド範囲の最も後方位置まで移動可能であることが望ましい。
【００３５】
例えば、支持部材４は、座部２の側面上方に位置するフレームに固定されるのではなく、座部２の側面上方に位置するフレームの長手方向に沿って移動できるように当該フレームに取り付けられてもよい。これにより、腕施療部７の移動可能範囲が拡がるので、腕施療部７が追随できる被施療者の体型や姿勢を拡張することができる。
【００３６】
例えば、腕施療部７の回転方向へ腕施療部７を付勢する回転方向付勢手段を設けてよい。この場合、当該回転方向付勢手段は、スライド部材６と腕施療部７とが開く方向へ腕施療部７を付勢してもよく、それとは逆にスライド部材６と腕施療部７とが閉じる方向へ腕施療部７を付勢してもよい。
【００３７】
スライド部材６と腕施療部７とが開く方向へ腕施療部７を付勢する場合には、被施療者の肘周辺を持ち上げることを補助できる。一方、スライド部材６と腕施療部７とが閉じる方向へ腕施療部７を付勢する場合には、被施療者の肘周辺を引き下げることを補助できる。例えば、スライド部材６のスライド方向、スライド部材６の重心位置、腕施療部７の重心位置等の影響も考慮し、スライド部材６と腕施療部７とが開く方向への付勢とスライド部材６と腕施療部７とが閉じる方向への付勢のいずれの方が被施療者にとって心地良いかを判断基準とし、スライド部材６と腕施療部７とが開く方向への付勢とスライド部材６と腕施療部７とが閉じる方向への付勢のいずれかを採用すればよい。
【００３８】
なお、スライド部材６と腕施療部７とが開く方向への付勢を採用する場合、マッサージ機１の非使用時にマッサージ機１をコンパクトにするために、スライド部材６と腕施療部７とが閉じた状態で腕施療部７をスライド部材６に固定することができるロック機構を設けることが望ましい。
【００３９】
例えば、腕施療部７の上面７Ａは、略平面形状ではなく、例えば下方に向かって凹む曲面形状であってもよい。また、腕施療部７の上面７Ａを肘置きとして利用しないのであれば、腕施療部７の上面７Ａを上方に向かって突出する曲面形状であってもよく、腕施療部７に上面７Ａを設けなくてもよい。なお、腕施療部７に上面７Ａを設けない場合、被施療者の前腕及び手が持ち上がったときに腕施療部７の上面７Ａ以外の手段によって被施療者の前腕及び手が腕施療部７から外れることを防止すればよい。
【符号の説明】
【００４０】
１  一実施例に係る椅子型マッサージ機
２  座部
３  背凭れ部
４  支持部材
５  ベース部材
６  スライド部材
７  腕施療部
７Ａ  上面
７Ｂ  開口部
８  コイルばね
８Ａ  コイルばねの一端
８Ｂ  コイルばねの他端
【図１】
2020081646.tif 000003
【図２】
2020081646.tif 000004
【図３】
2020081646.tif 000005
【図４】
2020081646.tif 000006
【図５】
2020081646.tif 000007